(57)【要約】【課題】  人工生産された海藻種苗を効率的に、且つ食害を防ぎながら増殖可能な海藻増殖機能付加型ブロック礁を提供する。【解決手段】  矩形ブロック体と、該ブロック体上に段差を介して設けられた緩やかな曲面を形成する蒲鉾形状の凸部と、この凸部の矩形平面側面部にそれぞれ一定間隔で取り付けられた係止フックと、前記段差部の上面に所定の間隔で設けられた牽引用フックとから構成され、蒲鉾形状の凸部の曲面に、海藻種苗を着生させた種糸を、前記係止フックを介して、掛け渡して設けた。 【選択図】      図１
0003135818.tif 000002
【実用新案登録請求の範囲】
【請求項１】
海藻増殖用ブロック礁であって、矩形ブロック体と、該ブロック体上に段差を介して設けられた緩やかな曲面を形成する蒲鉾形状の凸部と、この凸部の曲面方向側面部にそれぞれ一定間隔で取り付けられた種糸係止用フックと、前記段差部の上面に所定の間隔で設けられた牽引用フックとから構成されたことを特徴とする海藻増殖機能付加型ブロック礁。
【請求項２】
前記蒲鉾形状の凸部の曲面表面は微細な凹凸部を有し、その曲面表面に近接し、海藻種苗を着生させた種糸が、前記種糸係止用フックを介して掛け渡して敷設されたことを特徴とする請求項１記載の海藻増殖機能付加型ブロック礁。
【考案の詳細な説明】
【技術分野】
【０００１】
本考案は、人工的に生産された海藻種苗を用いて効率的に、且つ食害を防止しながら藻場の回復を図る海藻増殖機能付加型ブロック礁に関するものである。
【背景技術】
【０００２】
従来より、藻場の造成方法として数々の工夫を施したコンクリートブロック等の構築物を使用し、海域に沈設させて、その表面に自然に海藻を着生させる技術があった。
【０００３】
しかしながら、上記の技術では、コンクリートブロック等の構築物を沈設させる海域の自然条件や、海藻種苗を食する生物による食害によって藻場の造成に時間がかかるという問題点があった。
【０００４】
そこで、構築物の沈設に付随して、移植用に調整された海藻種苗を用いた各種の技術が提案されている。例えば、既設又は新設の生物増殖用基盤材ポーラスでつくられた海中構築物に海藻類の母藻を移植させたロープをコンクリート釘などで固定し、さらに食害防止用ネットを張る技術が提案されている（特許文献１参照。）。また、予め海藻種苗を着生させた海藻種苗担持条体を使用し、これを造成用構造物の陵部近くに固定された係止具により陵部に沿うように取り付ける藻場造成方法も提案されている（特許文献２参照。）。
【０００５】
【特許文献１】特開平１１−２８５３３０号公報
【特許文献２】特開２００６−１２２０２４号公報
【考案の開示】
【考案が解決しようとする課題】
【０００６】
しかし、上記の特許文献１に記載されているは、生物増殖用基盤材ポーラス等を使用した海中構築施設に、海藻類の母藻を移植したロープをコンクリート釘で固定し、さらに食害防止用ネットを設けたものであり、施工に手間がかかると共に、高コストなものであった。また、上記特許文献２に記載の技術は、既存のコンクリートブロック等の造成用構造物の陵部上に、海藻種苗を養生させた海藻種苗担持条体を固定具によって固定し、海藻の繁茂を促進させるものであるが、海藻を食するウニ等が生息しやすい環境の改善には何らの効果もないものであった。
【０００７】
本考案は、上記問題点に鑑みなされたものであり、海藻を食するウニ等が海中において安定して生息するためには、適度の凹凸部や陰部が必要であるとの知見により、蒲鉾形状の緩やかな凸部を形成し、この凸部の曲面方向側面部に一定間隔で種糸係止用フックを形成して海藻種苗を着床させた種糸を架け渡し、海藻の食害の影響がなく、確実に海藻を増殖させる海藻増殖機能付加型ブロック礁を提供することを目的とするものである。
【課題を解決するための手段】
【０００８】
このため本考案の海藻増殖機能付加型ブロック礁は、矩形ブロック体と、該ブロック体上に段差を介して設けられた緩やかな曲面を形成する蒲鉾形状の凸部と、この凸部の曲面方向側面部にそれぞれ一定間隔で取り付けられた種糸係止用フックと、前記段差部の上面に所定の間隔で設けられた牽引用フックとから構成されたことをを第１の特徴とする。
【０００９】
また、前記蒲鉾形状の凸部の曲面の表面は微細な凹凸部有し、その曲面上に海藻種苗を着生させた種糸を、前記種糸係止用フックを介して架け渡して設けたことを第２の特徴とする。
【考案の効果】
【００１０】
本考案の海藻増殖機能付加型ブロック礁は、以上のように構成されているので次のような優れた効果を有する。
（１）矩形ブロック体と、該ブロック体上に段差を介して設けられた緩やかな曲面を形成する蒲鉾形状の凸部から構成されており、海藻種苗を着生させた種糸を架け渡した曲面上にはウニ等が生息可能な適度な凹凸や陰部が少なく、海藻を食するウニ等の生物が安定して生息できないという効果がある。
（２）蒲鉾形状の凸部の曲面の表面は微細な凹凸部を有しており、海藻種苗がブロック礁の表面に固着しやすいという効果がある。
（３）種糸係止用フックが凸部の曲面方向側面部にそれぞれ一定間隔で取り付けられ、また牽引用フックが凸部の曲面方向側面部に一定間隔で取り付けられているため、種糸を凸部の表面全体に効率よく架け渡すことが可能となり、しかも牽引用フックを使用することによって海藻増殖機能付加型ブロック礁を海中に沈設する作業がし易いという優れた効果がある。
【考案を実施するための最良の形態】
【００１１】
以下、本考案の実施の形態を、図面に示す実施例に基づいて説明するが、本考案が本実施例に限定されないことは言うまでもない。図１は、本考案に係る海藻増殖機能付加型ブロック礁の一実施例を示す構造説明図、図２は図１の斜視図、図３は海藻増殖機能付加型ブロック礁の表面拡大説明図である。
【実施例】
【００１２】
図１、図２は本考案に係る海藻増殖機能付加型ブロック礁の一実施例を示しており、図１（ａ）は正面説明図、図１（ｂ）は平面説明図、図１（ｃ）は側面説明図である。図に示すように、本考案の海藻増殖機能付加型ブロック礁１は、矩形のブロック本体２と、段差部３を介して設けられた蒲鉾形状の凸部４と、凸部４の曲面方向側面５、５に配置された複数の種糸係止用フック６と、段差部３上に所定の間隔で設けられた牽引用フック７とから構成されている。
【００１３】
矩形のブロック本体２と蒲鉾形状の凸部４は、型枠等を用いコンクリート打設によって一体に成形されており、緩やかな曲面を有する凸部４の表面には後述する微細な凹凸が形成されている。そして段差部３の上面と、凸部４の曲面方向側面部にはそれぞれ所定の間隔で金属製の牽引用フック７及び種糸係止用フック６が取り付けられており、この種糸係止用フック６には海藻種苗８予め植生した種糸９が捲回され、緩やかな曲面を有する凸部４の表面に架け渡される。そして、金属製の牽引用フック７を介してワイヤーを架け、クレーンによって海中に沈設される。
【００１４】
ここで、図３に示すように、蒲鉾形状の凸部４の表面は微細な凹凸部１０を有する緩やかな曲面であるため、海藻種苗８が礁上に固着し易いと共に、海藻を食するウニ等の生物が生息できる窪みや凹凸部が存在しないことから食害を受けることなく充分に増殖することが可能となる。しかも、上記の種糸係止用フック６を使用して種糸９が一定の張力で架け渡されるため、海中の波浪によって種糸９と凸部４の表面との間が離れるこもなく、海藻種苗８が礁上で着生しやすい。
【００１５】
また、種糸係止用フック６は凸部の曲面方向側面５にそれぞれ一定間隔で取り付けられているため、種糸９を取り付ける際には、この種糸係止用フック６に種糸９を架けて引っ張りながら蒲鉾形状の凸部４の表面に這わせて他方の種糸係止用フック６に架ける作業を繰り返すことによって、誰でも簡単に凸部４の表面全面に取り付けることが可能となる。しかも、固定用の治具等も必要としないため安価である。
【００１６】
以上、本考案による海藻増殖機能付加型ブロック礁によれば、矩形ブロック体と、該ブロック体上に段差を介して設けられた緩やかな曲面を形成する蒲鉾形状の凸部から構成されており、海藻種苗を着生させた種糸を架け渡した曲面上にはウニ等の生息することがない。また種糸係止用フックが凸部の曲面方向側面部にそれぞれ一定間隔で取り付けられ、このフックを使用して一定の張力で種糸が架け渡されているため、蒲鉾形状の凸部の表面と密着し易く、さらにこの凸部の表面には微細な凹凸部が形成されているため、海藻種苗の定着が促進され、ウニ等の食害を受けることなく、藻場の回復を促進することができる。
【図面の簡単な説明】
【００１７】
【図１】本考案に係る海藻増殖機能付加型ブロック礁の一実施例を示す構造説明図である。
【図２】図１の斜視図である。
【図３】海藻増殖機能付加型ブロック礁の表面拡大説明図である。
【符号の説明】
【００１８】
１          海藻増殖機能付加型ブロック礁
２          ブロック本体
３          段差部
４          凸部
５          曲面方向側面
６          種糸係止用フック
７          牽引用フック
８          海藻種苗
９          種糸
１０          凹凸
【図１】
0003135818.tif 000003
【図２】
0003135818.tif 000004
【図３】
0003135818.tif 000005